(57)【要約】      （修正有）【課題】傘に取り付けるためのクリップを回転させることができ、かつクリップを携帯機器のスタンドとしても使用することができる傘取付用携帯機器ケースを提供する。【解決手段】傘の中棒等の被挟持物を開閉部１１ｂで挟持するクリップ１１が、ケース本体１０の短辺方向の略中央に設けられた回転軸１２を中心に回転可能に取り付けられている。また、ケース本体及びクリップの被挟持物を挟持しない側の端１１ａを机等の被載置面に載置することで、クリップがケース本体を自立させるスタンドとして機能する。【選択図】図１
0003197406.tif 000002
【実用新案登録請求の範囲】
【請求項１】
略矩形形状の携帯機器に用いられる傘取付用携帯機器ケースであって、
前記携帯機器の操作面と反対側の面を覆う背面と、前記背面の周囲から突出するように形成され、前記携帯機器を保持する側面と、を有し、前記背面と前記側面とにより形成される空間に前記携帯機器を収納保持するケース本体と、
前記背面の、前記携帯機器が収納保持されない側に設けられたクリップであって、傘の中棒を含む被挟持物を挟持するクリップと、
前記クリップを前記ケース本体に対して回動可能にする回転軸であって、前記ケース本体の短辺方向の略中央に設けられる回転軸と、を備え、
前記クリップのうちの前記被挟持物を挟持する一対の挟持部は、それぞれ、先端が内側に折れ曲がっており、
前記ケース本体及び前記クリップの前記被挟持物を挟持しない側の端を被載置面に載置することで、前記クリップが、前記ケース本体を自立させるスタンドとして機能する
ことを特徴とする傘取付用携帯機器ケース。
【請求項２】
請求項１に記載の傘取付用携帯機器ケースであって、
前記回転軸は、前記ケース本体の長辺方向の略中央に設けられ、
前記クリップの高さは、前記ケース本体の短辺の長さと略同一であり、
前記挟持部の長さは、前記ケース本体の長辺の長さと略同一である
ことを特徴とする傘取付用携帯機器ケース。
【考案の詳細な説明】
【技術分野】
【０００１】
本考案は、傘取付用携帯機器ケースに関する。
【背景技術】
【０００２】
特許文献１には、スマートフォンケースにクリップを付けた差し込み型クリップ付きス
マートフォンケースが開示されている。これにより、スマートフォンケースを衣類のポケットなどへ円滑に差し込むことができる。
【先行技術文献】
【特許文献】
【０００３】
【特許文献１】実用新案登録第３１７０１８２号
【考案の概要】
【考案が解決しようとする課題】
【０００４】
しかしながら、特許文献１に記載の考案では、クリップを回転させることができない。また、特許文献１に記載の考案では、ケースを用いてスマートフォンを立てかけて使用することは想定されていない。
【０００５】
本考案はこのような事情に鑑みてなされたもので、傘に取り付けるためのクリップを回転させることができ、かつクリップを携帯機器のスタンドとしても使用することができる傘取付用携帯機器ケースを提供することを目的とする。
【課題を解決するための手段】
【０００６】
上記課題を解決するために、本考案に係る傘取付用携帯機器ケースは、例えば、略矩形形状の携帯機器に取り付けられる傘取付用携帯機器ケースであって、前記携帯機器の操作面と反対側の面を覆う背面と、前記背面の周囲から突出するように形成され、前記携帯機器を保持する側面と、を有し、前記背面と前記側面とにより形成される空間に前記携帯機器を収納保持するケース本体と、前記背面の、前記携帯機器が収納保持されない側に設けられたクリップであって、傘の中棒を含む被挟持物を挟持するクリップと、前記クリップを前記ケース本体に対して回動可能にする回転軸であって、前記ケース本体の短辺方向の略中央に設けられる回転軸と、を備え、前記クリップのうちの前記被挟持物を挟持する一対の挟持部は、それぞれ、先端が内側に折れ曲がっており、前記ケース本体及び前記クリップの前記被挟持物を挟持しない側の端を被載置面に載置することで、前記クリップが、前記ケース本体を自立させるスタンドとして機能することを特徴とする。
【０００７】
本考案に係る傘取付用携帯機器ケースによれば、傘の中棒等の被挟持物を、回転軸を中心に回転可能に挟持できる。また、ケース本体及びクリップの被挟持物を挟持しない側の端を被載置面に載置することで、クリップをケース本体を自立させるスタンドとして機能させることができる。また、回転軸がケース本体の短辺方向の略中央に設けられるため、クリップの被挟持物を挟持する部分が左右どちらに位置する場合にも、同じようにクリップで被挟持物を挟持することができる。
【０００８】
ここで、前記回転軸は、前記ケース本体の長辺方向の略中央に設けられ、前記クリップの高さは、前記ケース本体の短辺の長さと略同一であり、前記挟持部の長さは、前記ケース本体の長辺の長さと略同一であってもよい。これにより、ケース本体を被挟持物に安定して保持することができる。また、クリップが被挟持物を挟持したままケース本体を微小角度だけ回転させたときに、ケース本体の位置が大きく変わらないため、使い勝手がよい。
【考案の効果】
【０００９】
本考案によれば、傘に取り付けるためのクリップを回転させることができ、かつクリップを携帯機器のスタンドとしても使用することができる。
【図面の簡単な説明】
【００１０】
【図１】本考案の第１の実施の形態である傘取付用携帯機器ケース１の斜視図であり、（Ａ）は傘取付用携帯機器ケース１の正面斜視図であり、（Ｂ）は背面斜視図である。
【図２】傘取付用携帯機器ケース１の背面図である。
【図３】傘取付用携帯機器ケース１を傘の中棒に取り付けた状態を示す図である。
【図４】ケース本体１０を立てかけた状態を示す図である。
【考案を実施するための形態】
【００１１】
以下、本考案の実施形態を、図面を参照して詳細に説明する。図１は、傘取付用携帯機器ケース１の斜視図である。図１（Ａ）は、傘取付用携帯機器ケース１の正面斜視図であり、図１（Ｂ）は、背面斜視図である。傘取付用携帯機器ケース１は、携帯機器に用いられるものであり、主に傘に取り付けて使用するものである。
【００１２】
傘取付用携帯機器ケース１は、主として、ケース本体１０と、クリップ１１と、回転軸１２と、を有する。
【００１３】
ケース本体１０は、樹脂により形成された略箱状の部材であり、内側に携帯機器１００を収納保持する。ケース本体１０は、携帯機器１００と略同一の大きさを有する。ケース本体１０の開口部からは、内部に収納保持された携帯機器１００の任意の面が露出する。図１（Ａ）では、タッチパネル１０１が設けられた面である操作面がケース本体１０の開口部から露出している。
【００１４】
ケース本体１０の開口部と対向する面（以下、背面という）１０ａには、携帯機器１００に設けられたカメラ１０２のレンズが露出する孔１０ｂが形成される。
【００１５】
側面１０ｃは、背面１０ａの周囲から突出するように、背面１０ａと一体形成される。すなわち、携帯機器１００は、背面１０ａと側面１０ｃとにより形成される空間（ケース内側）に収納保持される。
【００１６】
なお、図１に示すケース本体１０の形状は、一例であり、これに限定されない。ケース本体１０の大きさ、形状等は任意である。
【００１７】
クリップ１１は、ケース本体１０の背面１０ａの外側（ケース内側の反対側）に設けられる。クリップ１１は、棒、服等の被挟持物を挟持する挟持部材として機能すると共に、ケース本体１０のスタンドとして機能する。クリップ１１の用途、機能については、後に詳述する。
【００１８】
クリップ１１は、主として、被挟持物を挟持する部分である挟持部１１ａと、挟持部１１ａを開閉させる開閉部１１ｂと、を有する。
【００１９】
本実施の形態では、挟持部１１ａ及び開閉部１１ｂは１つの板材により構成されており、クリップ１１は一対の板材を有する。一対の板材は、図示しないヒンジにより開閉自在に連結されており、コイルばね（図示せず）によって挟持部１１ａが閉じた状態（図１（Ｂ）に示す状態）で保持される。
【００２０】
一対の挟持部１１ａは、それぞれ、先端が内側に折れ曲がっている。これにより、挟持部１１ａが傘の中棒（シャフト）１１０の部分を把持した時に、折れ曲がっている部分が中棒を覆い、中棒が外れにくくなる（図３参照）。その他、クリップ１１の構成及び開閉機構等は、すでに公知であるため、詳細な説明を省略する。
【００２１】
回転軸１２は、ケース本体１０の背面１０ａの外側に設けられる。回転軸１２により、クリップ１１は、ケース本体１０に対して回転可能に設けられる。回転軸１２を中心にクリップ１１を回転可能に設ける形態は、すでに公知であるため、詳細な説明を省略する。
【００２２】
図２は、傘取付用携帯機器ケース１の背面図である。クリップ１１は、挟持部１１ａの端から開閉部１１ｂの端までの距離、すなわちクリップ１１の高さｈが、ケース本体１０の短辺の長さ（幅）Ｗと略同一である。また、挟持部１１ａの長さｌは、ケース本体１０の長辺の長さ（高さ）Ｈと略同一である。したがって、クリップ１１は、ケース本体１０の背面１０ａに収まっている。なお、ここでいう略同一とは、幅Ｗ又は高さＨと同一、又は幅Ｗ又は高さＨと同一より少しだけ小さいが、幅Ｗ又は高さＨと同一とみなせる範囲を含む概念である。
【００２３】
クリップ１１が図１に示す位置（図２の実線参照）にある場合には、挟持部１１ａの長手方向が、ケース本体１０の長辺と略平行となる。また、挟持部１１ａの端は、ケース本体１０の長辺に略沿っており、開閉部１１ｂの端は、ケース本体１０の反対側の長辺に略沿っている。
【００２４】
クリップ１１は、図２の破線で示すように、回転軸１２を中心として、ケース本体１０に対して回転可能である。クリップ１１は、３６０度回転可能である。
【００２５】
回転軸１２は、携帯機器１００の短辺方向の略中央及び長辺方向の略中央に設けられる。したがって、図１に示す位置（図２の実線参照）から、クリップ１１が回転軸１２を中心に略１８０度回転したとき（図２の一点鎖線参照）にも、クリップ１１は、ケース本体１０の背面１０ａに収まる。この場合にも、挟持部１１ａの長手方向が、ケース本体１０の長辺と略平行となる。
【００２６】
また、クリップ１１が回転軸１２を中心に略９０度回転したとき（図２の二点鎖線参照）には、挟持部１１ａの長手方向が、ケース本体１０の短辺と略平行となる。
【００２７】
ただし、回転軸１２が、携帯機器１００の長辺方向の略中央に設けられることは必須ではない。例えば、挟持部１１ａの長さが短い場合には、回転軸１２が携帯機器１００の長辺方向の略中央に設けられなくてもよい。
【００２８】
このように構成された傘取付用携帯機器ケース１の用途、機能等について説明する。図３は、傘取付用携帯機器ケース１を傘の中棒１１０に取り付けた状態を示す図である。挟持部１１ａで中棒１１０を把持することで、ケース本体１０、すなわち携帯機器１００が中棒１１０に取り付けられる。したがって、ユーザーがケース本体１０、すなわち携帯機器１００を把持することなく、携帯機器１００を操作できる。なお、挟持部１１ａは、傘の中棒１１０に限らず、手元１１１等に取り付けてもよい。
【００２９】
挟持部１１ａの長さｌが長い（ケース本体１０の長辺の長さ（高さ）Ｈと略同一）ため、ケース本体１０を安定して中棒１１０に保持することができる。また、クリップ１１が回転軸１２を中心に回転可能（図３矢印参照）であるため、ユーザーが傘をさす時等、中棒１１０が傾いた場合にも、ケース本体１０を微小角度だけ回転させて携帯機器１００を真っ直ぐにすることができる。
【００３０】
図４は、ケース本体１０を立てかけた状態を示す図である。机等の台（被載置面）にケース本体１０と開閉部１１ｂの端を載置する。この結果、クリップ１１が、ケース本体１０を自立させるスタンドとして機能する。
【００３１】
本実施の形態によれば、傘に取り付けるためのクリップを回転させることができ、かつクリップを携帯機器のスタンドとしても使用することができる。また、クリップ１１を９０度前後回転させることで、服の内ポケット等にケース本体１０を取り付けることができる。
【００３２】
また、本実施の形態によれば、クリップ１１をケース本体１０に対して回動可能にする回転軸１２が、ケース本体１０の短辺方向の略中央に設けられるため、クリップ１１を１８０度回転させたときにも、挟持部１１ａの端がケース本体１０の長辺に略沿っており、開閉部１１ｂの端がケース本体１０の反対側の長辺に略沿っている。これにより、左右どちらに挟持部１１ａが位置したとしても、同じようにクリップ１１で中棒１１０を把持することができ、使い勝手がよい。また、クリップ１１の高さがケース本体１０の短辺の長さと略同一であり、回転軸１２をケース本体１０の短辺方向の略中央に設けることは、クリップ１１をスタンドとして使用するのにも好適である。
【００３３】
また、本実施の形態によれば、挟持部１１ａの長さがケース本体１０の高さＨと略同一であるため、ケース本体１０を中棒１１０等に安定して取り付けることができる。さらに、回転軸１２をケース本体１０の長辺方向の略中央に設けることで、クリップ１１が中棒１１０等を挟持したまま微小角度だけ回転させた時にケース本体１０の位置が大きく変わらないため、使い勝手がよい。
【００３４】
以上、この考案の実施形態を、図面を参照して詳述してきたが、具体的な構成はこの実施形態に限られるものではなく、この考案の要旨を逸脱しない範囲の設計変更等も含まれる。当業者であれば、実施形態の各要素を、適宜、変更、追加、変換等することが可能である。
【００３５】
また、本考案において、「略」とは、厳密に同一である場合のみでなく、同一性を失わない程度の誤差や変形を含む概念である。例えば、略平行とは、厳密に平行の場合には限られず、例えば数度程度の誤差を含む概念である。また、例えば、単に平行、直交等と表現する場合において、厳密に平行、直交等の場合のみでなく、略平行、略直交等の場合を含むものとする。また、本考案において「近傍」とは、基準となる位置の近くのある範囲（任意に定めることができる）の領域を含むことを意味する。例えば、Ａの近傍という場合に、Ａの近くのある範囲の領域であって、Ａを含んでもいても含んでいなくてもよいことを示す概念である。
【符号の説明】
【００３６】
１        ：傘取付用携帯機器ケース
１０      ：ケース本体
１０ａ    ：背面
１０ｂ    ：孔
１０ｃ    ：側面
１１      ：クリップ
１１ａ    ：挟持部
１１ｂ    ：開閉部
１２      ：回転軸
１００    ：携帯機器
１０１    ：タッチパネル
１０２    ：カメラ
１１０    ：中棒
【図１】
0003197406.tif 000003
【図２】
0003197406.tif 000004
【図３】
0003197406.tif 000005
【図４】
0003197406.tif 000006